(57)【特許請求の範囲】
【請求項１】
複数のキーを有する光透過性のタッチパネルを表示装置上に積層した商品登録用キーボードと、
この商品登録用キーボードの各キー毎に設定される商品情報と各キーの操作により入力されるその商品情報に係る入力数量とを関係付けて記憶する商品入力数量記憶手段と、
この商品入力数量記憶手段に記憶された商品情報毎の入力数量とその商品情報とを併せて各キー毎に表示する入力数量表示手段と、
前記商品入力数量記憶手段に記憶された入力数量及び前記入力数量表示手段に表示された入力数量を減算する減算手段と、
この減算手段の操作後に、１回のキー操作によってそのキーに設定された商品情報の入力があったと判断する登録モード復帰手段と、
を備える商品販売登録データ処理装置。
【発明の詳細な説明】
【０００１】
【発明の属する技術分野】
本発明は、例えば、コンビニエンスストア等において使用され、タッチパネル付きディスプレイを商品登録用キーボードとして利用するＰＯＳ（Point of Sales：販売時点管理）端末等の商品販売登録データ処理装置に関する。
【０００２】
【従来の技術】
近年、コンビニエンスストア等において使用されるＰＯＳ端末の中には、タッチパネル付きディスプレイを商品登録用キーボードとして利用したものが開発されている。このタッチパネル付きディスプレイは、例えば、マトリックス状にキーが割り当てられた光透過性のタッチキーを液晶ディスプレイ上に備えて形成されている。つまり、タッチパネル付きディスプレイは、所望の入力項目が割り当てられた表示データをタッチキーのキーの位置に対応して表示し、そのタッチキーのキーに触れることで所望のデータの入力を可能にしている。
【０００３】
このようなタッチパネル付きディスプレイを商品登録用キーボードとして使用する場合には、画面（ページ）の切替により１つのキーに何種類かの商品を割り当てることができる。これにより、少ないキー数で多数の商品の登録が可能になるので、特にバーコードを直接付けることの出来ない商品が多数存在する場合に効果的であり、また、ＰＯＳ端末の小型化も図ることができる。
【０００４】
【発明が解決しようとする課題】
ところが、従来のタッチパネル付きディスプレイを商品登録用キーボードとして利用したＰＯＳ端末では、タッチキーのキーの位置に対応して割り当てられる入力項目である表示データが「商品名（又は、商品を表す商品情報）」のみであった。このため、例えば、「おでん」の販売のように予めキー入力をしてから各種の「おでん」を容器に入れる作業を行う場合には、各商品の入力数はレシート等で確認しなければならず、作業が煩雑になっている。
【０００５】
本発明の目的は、キー毎の入力数量の確認が容易な商品販売登録データ処理装置を得ることである。
【０００８】
【課題を解決するための手段】
本発明は、複数のキーを有する光透過性のタッチパネルを表示装置上に積層した商品登録用キーボードと、この商品登録用キーボードの各キー毎に設定される商品情報と各キーの操作により入力されるその商品情報に係る入力数量とを関係付けて記憶する商品入力数量記憶手段と、この商品入力数量記憶手段に記憶された商品情報毎の入力数量とその商品情報とを併せて各キー毎に表示する入力数量表示手段と、前記商品入力数量記憶手段に記憶された入力数量及び前記入力数量表示手段に表示された入力数量を減算する減算手段と、この減算手段の操作後に、１回のキー操作によってそのキーに設定された商品情報の入力があったと判断する登録モード復帰手段とを備える。
【０００９】
したがって、商品情報が各キー毎に設定される商品登録用キーボードの各キーの操作により入力される商品情報に係る入力数量が、商品入力数量記憶手段によりその商品情報に関係付けられて記憶され、入力数量表示手段によりその商品情報と入力数量とが併せて各キー毎に表示される。これにより、各商品の入力数の確認が容易になる。
【００１０】
【発明の実施の形態】
本発明の実施の一形態を図１ないし図７に基づいて説明する。本実施の形態の商品販売登録データ処理装置は、コンビニエンスストアで使用され、タッチパネル付き液晶ディスプレイを商品登録用キーボードとして利用するＰＯＳ端末１に適用されている。ここで、図１はＰＯＳ端末１を概略的に示す外観斜視図である。このＰＯＳ端末１は、ドロワ２上に載置されており、このドロワ２の引出３の開閉を制御する。このＰＯＳ端末１は、上面に操作者の操作を受け付ける領域を備え、その操作領域には各種のキーが集合するキーボード４、図示しない鍵によって切り換え操作されるコントロールキー５、レシートを発行するレシート発行口６ａ、及びジャーナル窓６ｂが設けられている。操作者から見て、キーボード４及びコントロールキー５は右側の領域、レシート発行口６ａ及びジャーナル窓６ｂは左側の領域にそれぞれ配置されている。また、図１には図示しないが、バーコードを光学的に読み取るためのバーコードスキャナ２２がＰＯＳ端末１に接続されている。さらに、ＰＯＳ端末１の右側上方には、操作者側の表示装置であるカラー液晶ディスプレイ（以下、ＬＣＤ（Liquid Crystal Display）とする）７が配置され、このＬＣＤ７の近傍には客側表示ユニット８が立設されている。
【００１１】
ＬＣＤ７の表面にはマトリックス状にキー１０が割り当てられた光透過性の抵抗膜式のタッチパネル９が積層されており、ＬＣＤ７の表示画面とタッチパネル９のキー１０との位置関係の同期をとることによってＬＣＤ７はキーボード４と同様の機能を果たす。つまり、ＬＣＤ７とタッチパネル９とが、商品登録用キーボードＡとして機能する。ここで、図２はＬＣＤ７の画面表示の一例を示す正面図である。例えば図２は未登録状態の登録画面を示し、１ページあたり３行４列の計１２個の商品キー１０ａと、減算キー１０ｂとページスクロールキー１０ｃ等が表示されており、それぞれがキーボード４のキーと同様の機能を有している。
【００１２】
ここで、図３は商品キー１０ａの表示内容を示す説明図である。図３に示すように、商品キー１０ａ毎のＬＣＤ７の表示画面は、画像イメージが表示される「画像イメージ表示エリア」ａと、商品名が表示される「商品名表示エリア」ｂと、売価が表示される「売価表示エリア」ｃと、入力数量が表示される「入力数量表示エリア」ｄとで構成される。ここで、商品情報である商品名、画像イメージ、売価は、後述する商品マスタファイルに記憶保持されている。つまり、商品キー１０ａは登録対象の商品情報である商品名等とその商品の入力された数量とを対応付けて表示してその操作により入力数量を可変自在に表示したキーである。なお、商品キー１０ａの初期設定の表示画面においては、例えば背景色および背景外周色は白色であって、「入力数量表示エリア」ｄには入力数量は表示されないものとする。また、減算キー１０ｂは所定の商品の入力された数量を減算するためのキー、ページスクロールキー１０ｃはページ変更するためのキーである。
【００１３】
次に、ＰＯＳ端末１に内蔵された各部の電気的接続を図４に基づいて説明する。このＰＯＳ端末１は、マイコン１１を内蔵し、このマイコン１１が各部を駆動制御する。マイコン１１は、各部を集中的に制御するＣＰＵ１２に、アドレスバス、データバス等のバスライン１３を介して、起動プログラム等の固定的データを予め格納するＲＯＭ１４と各種データを書き換え自在に格納するＲＡＭ１５とが接続されて構成されている。ＲＡＭ１５は、各種データを書き換え自在に格納する機能を利用して、編集バッファや印字バッファ等のワークエリアや画像メモリ等の機能を果たす。さらに、ＣＰＵ１２に接続されたバスライン１３にはＨＤＤ１６が接続されており、このＨＤＤ１６には制御プログラム、商品コード毎にその商品情報である商品名、画像イメージ、売価等を記憶保持する商品マスタファイル、売上登録に係る売上データを記憶保持する売上ファイル等が格納されている。
【００１４】
ＲＡＭ１５はワークエリア等の機能を果たすものであり、商品キー１０ａからのキー入力データを一時的に記憶するためのキー入力バッファＢが割り当てられている。ここで、図５はキー入力バッファＢのデータ構造を示す模式図である。キー入力バッファＢは、商品キー１０ａ毎に「商品キーＮｏ．」ｅ、「商品コード」ｆ、「入力数量」ｇの各データを連続的に有して構成されている。「商品キーＮｏ．」ｅは商品キー１０ａ毎に割り振られた番号であり、「商品コード」ｆは店員によるキー操作によって入力された商品キー１０ａに設定されている商品情報の１つである商品を特定するコードである。また、「入力数量」ｇは、店員によるキー操作によって入力された商品キー１０ａに設定されている商品毎の入力数量である。すなわち、キー入力バッファＢが、商品入力数量記憶手段として機能する。
【００１５】
ＨＤＤ１６には制御プログラムが格納されているので、ＰＯＳ端末１の起動時、ＨＤＤ１６に格納された制御プログラムが売上ファイル等とともにＲＡＭ１５に書き込まれ、これによってマイコン１１による各部の駆動制御が可能な状態となる。マイコン１１によって駆動制御される各部を次に説明する。
【００１６】
キーボード４は、キーボード入力回路１７を介してバスライン１３に接続され、操作されたキーに応じた信号をキーボード入力回路１７の動作によってマイコン１１に入力する。
【００１７】
コントロールキー５は、コントロールキー入力回路１８を介してバスライン１３に接続され、コントロールキー入力回路１８の動作によって切り換え位置に応じた信号をマイコン１１に入力する。マイコン１１は、コントロールキー５の出力信号に応じて、ＰＯＳ端末１の動作モードを登録モード、設定モード、精算モード、点検モード等の各業務モードに設定する。
【００１８】
ＬＣＤ７は、表示制御回路１９を介してバスライン１３に接続され、マイコン１１からの表示データが表示制御回路１９に入力されると、表示制御回路１９に駆動されて所定事項を表示する。
【００１９】
客側表示ユニット８は、客側表示制御回路２０を介してバスライン１３に接続され、マイコン１１からの客側表示データが客側表示制御回路２０に入力されると、客側表示制御回路２０に駆動されて所定事項を表示する。
【００２０】
タッチパネル９は、タッチパネル入力回路２１を介してバスライン１３に接続され、タッチパネル入力回路２１の動作によって、操作者によりタッチされたパネル上のＸＹ座標の位置を認識して座標データ取得し、この取得された座標データに応じた信号をマイコン１１に出力する。マイコン１１に信号が入力されると、マイコン１１は信号に基づいた所定の処理を実行する。
【００２１】
バーコードスキャナ２２は、スキャナ入力回路２３を介してバスライン１３に接続され、スキャナ入力回路２３の動作によって読み取った商品コードのデータをマイコン１１に送信する。
【００２２】
また、ＰＯＳ端末１には、Ｒ／Ｊプリンタ２４が内蔵されており、プリンタ制御回路２５を介してバスライン１３に接続され、マイコン１１によって駆動制御される。これにより、Ｒ／Ｊプリンタ２４は、図示しない長尺紙であるレシート用紙にレシートとしての必要事項を印字し、これを部分切断又は全切断してレシート発行口６ａよりレシートとして発行するレシートプリンタの機能を発揮する。また、Ｒ／Ｊプリンタ２４はジャーナルプリンタ機能も発揮し、図示しない長尺紙であるジャーナル用紙に売上登録に係るジャーナル印字を行い、これを内部記録として残す。ジャーナル用紙は、操作者による書き込みを受け付けるために、ジャーナル窓６ｂにおいて外部に一部を露出している。
【００２３】
また、ＰＯＳ端末１には、ホストコンピュータを接続してデータの送受信をする通信Ｉ／Ｆ２６が、バスライン１３に接続され、マイコン１１によって駆動制御される。
【００２４】
ＰＯＳ端末１とは別体で設けられたドロワ２も、マイコン１１によって駆動制御される。このドロワ２は、ドロワ制御回路２７を介してバスライン１３に接続され、マイコン１１からの開放信号に応じてドロワ制御回路２７が駆動されてドロワ２の引出３の開放を行なう。
【００２５】
このような構成のＰＯＳ端末１において、ＰＯＳ端末１のＨＤＤ１６に格納された制御プログラムがマイコン１１に実行させる機能について説明する。起動後のＰＯＳ端末１では、コントロールキー５の切り換え位置に応じて動作モードが選択される。つまり、コントロールキー５の切り換え位置によって発生する出力信号に応じ、マイコン１１がＰＯＳ端末１の動作モードを登録モード、設定モード、精算モード、点検モード等に設定する。本実施の形態においては、各モードの処理について従来のＰＯＳ端末によって行なわれる処理と同様の処理についてはその説明を省略する。次いで、本実施の形態の特長である登録モードにおける商品登録用キーボードＡでの入力数量表示処理の流れを以下に説明する。
【００２６】
ここで、図６は入力数量表示処理の流れを概略的に示すフローチャート、図７（ａ）はＬＣＤ７の表示画面の一例を示す正面図、（ｂ）は別の一例を示す正面図である。商品登録用キーボードＡでの利用した入力数量表示処理は、コントロールキー５の切り換え操作によって登録モードに設定されていることを条件として実行される。この入力数量表示処理では、まず、商品キー１０ａのキー操作によってその商品キー１０ａに設定された商品コードの入力が有ったと判断された場合（ステップＳ１のＹ）、ＲＡＭ１５のキー入力バッファＢが検索されて入力された商品コードと同一の「商品コード」ｆに対応する「入力数量」ｇが“１”以上であるか否かが判断される（ステップＳ２）。例えば、当該商品キー１０ａのキー操作が１回目の場合にはその「商品コード」ｆに対応する「入力数量」ｇは必ず“０”である。したがって、この場合には「入力数量」ｇが“１”以上でないと判断され（ステップＳ２のＮ）、ステップＳ３に進む。
【００２７】
ステップＳ３では、ＬＣＤ７の当該商品キー１０ａにおける背景色が例えば黄色に変更されて表示される。これは、一取引における操作された商品キー１０ａを特定するためである。加えて、続くステップＳ４では、全ての商品キー１０ａの中で当該商品キー１０ａのみについてＬＣＤ７の背景外周色が例えば赤色に変更されて表示される。これは、直近に操作された商品キー１０ａを特定するためである。
【００２８】
次に、ステップＳ５において、キー入力バッファＢの当該商品キー１０ａの「商品コード」ｆに対応する「入力数量」ｇが“１”インクリメントされる。そして、続くステップＳ６において、当該商品キー１０ａのＬＣＤ７の「入力数量表示エリア」ｄに当該商品キー１０ａに対応する「入力数量」ｇが表示される。ここで、図７（ａ）に示すように、例えば最初に“大根”の商品キー１０ａが操作された場合には、“大根”の商品キー１０ａのみに入力数量として“１”が表示されることになる。ここに、入力数量表示手段の機能が実現される。
【００２９】
ステップＳ１〜Ｓ６の処理は、キーボード４の図示しない「締めキー」の操作による取引終了が判断されず（ステップＳ７のＮ）、減算キー１０ｂのキー操作が有ったと判断されない場合において（ステップＳ８のＮ）、商品キー１０ａのキー操作によってその商品キー１０ａに設定された商品コードの入力が有ったと判断される度に（ステップＳ１のＹ）、繰り返される。ただし、同一の商品キー１０ａについて複数回のキー操作が行われ、その商品キー１０ａの「商品コード」ｆに対応する「入力数量」ｇが“１”以上と判断された場合（ステップＳ２のＹ）には、ステップＳ４に進む。この場合には、すでに背景色が変更されて表示されているためである。ここで、図７（ｂ）に示すように、例えば続けて２回“大根”の商品キー１０ａが操作された後、“じゃがいも”の商品キー１０ａが操作された場合には、“大根”の商品キー１０ａに入力数量として“２”が表示され、“じゃがいも”の商品キー１０ａに入力数量として“１”が表示されるととも背景外周色が変更されて表示されることになる。
【００３０】
また、減算キー１０ｂのキー操作が有ったと判断された場合には（ステップＳ８のＹ）、ステップＳ９に進み、商品キー１０ａのキー操作によってその商品キー１０ａに設定された商品コードの入力が有ったと判断されるまで待機する。
【００３１】
商品キー１０ａのキー操作によってその商品キー１０ａに設定された商品コードの入力が有ったと判断された場合（ステップＳ９のＹ）、キー入力バッファＢが検索されて入力された商品コードと同一の「商品コード」ｆに対応する「入力数量」ｇが“１”以上であるか否かが判断される（ステップＳ１０）。その商品キー１０ａの「商品コード」ｆに対応する「入力数量」ｇが“１”以上と判断された場合（ステップＳ１０のＹ）には、数量の減算が可能なので、ステップＳ１１に進む。
【００３２】
ステップＳ１１では、全ての商品キー１０ａの中で当該商品キー１０ａのみについてＬＣＤ７の背景外周色が例えば赤色に変更されて表示される。
【００３３】
次に、ステップＳ１２において、キー入力バッファＢの当該商品キー１０ａの「商品コード」ｆに対応する「入力数量」ｇが“１”デクリメントされる。そして、続くステップＳ１３において、キー入力バッファＢが検索されて入力された商品コードと同一の「商品コード」ｆに対応する「入力数量」ｇが“０”であるか否かが判断される。その商品キー１０ａの「商品コード」ｆに対応する「入力数量」ｇが“０”と判断された場合（ステップＳ１３のＹ）には、ＬＣＤ７の当該商品キー１０ａにおける画面表示が背景外周色を除いて初期設定に変更されて表示され（ステップＳ１４）、ステップＳ１に戻る。一方、その商品キー１０ａの「商品コード」ｆに対応する「入力数量」ｇが“０”と判断されない場合（ステップＳ１３のＮ）には、当該商品キー１０ａのＬＣＤ７の「入力数量表示エリア」ｄに当該商品キー１０ａに対応する「入力数量」ｇが表示され（ステップＳ１５）、ステップＳ１に戻る。
【００３４】
また、キー入力バッファＢが検索されて入力された商品コードと同一の商品キー１０ａの「商品コード」ｆに対応する「入力数量」ｇが“１”以上と判断されない場合（ステップＳ１０のＮ）には、数量の減算が不可能なので、ステップＳ１６でエラー処理の後、ステップＳ１に戻る。
【００３６】
【発明の効果】
本発明によれば、商品情報を各キー毎に設定した商品登録用キーボードの各キーの操作により入力される商品情報に係る入力数量をその商品情報に関係付けて記憶し、その商品情報と入力数量とを併せて各キー毎に表示することにより、キー毎の入力数量の確認を容易にし、各商品の入力数の確認を容易にすることができる。
【図面の簡単な説明】
【図１】本発明の実施の一形態のＰＯＳ端末を概略的に示す外観斜視図である。
【図２】ＬＣＤの画面表示の一例を示す正面図である。
【図３】商品キーの表示内容を示す説明図である。
【図４】ＰＯＳ端末に内蔵された各部の電気的接続を示すブロック図である。
【図５】キー入力バッファのデータ構造を示す模式図である。
【図６】入力数量表示処理の流れを概略的に示すフローチャートである。
【図７】（ａ）はＬＣＤの表示画面の一例を示す正面図、（ｂ）は別の一例を示す正面図である。
【符号の説明】
７            表示装置
９            タッチパネル
１０ａ        キー
Ａ            商品登録用キーボード
Ｂ            商品入力数量記憶手段
ｇ            入力数量
【図１】
0003956254.tif 000002
【図２】
0003956254.tif 000003
【図３】
0003956254.tif 000004
【図４】
0003956254.tif 000005
【図５】
0003956254.tif 000006
【図６】
0003956254.tif 000007
【図７】
0003956254.tif 000008